(57)【特許請求の範囲】
【請求項１】
裏板の下面が載置される棚部と該棚部の前側に鏡の下部が嵌合保持される溝部とが形成されてなる鏡保持具と、壁面に止着具を介して固着される壁固定具と、から構成されてなり、上記鏡保持具の下部に形成された嵌合突部と上記鏡保持具の嵌合突部が落とし込み保持される鏡固定具の相互に摺接する面部を傾斜させて形成したことを特徴とするミラーキャビネットの固定装置。
【発明の詳細な説明】
【０００１】
【発明の属する技術分野】
この発明は、洗面化粧台等に配設されるミラーキャビネットの下縁部まで鏡面が形成されてなるミラーキャビネットの固定装置に関する。
【０００２】
【従来技術とその課題】
周知のように、洗面化粧台等に配設されるミラーキャビネットの中には、例えば、図３に示すように、ミラーキャビネット１の下縁部まで鏡２が形成されたものが公知である。
【０００３】
このミラーキャビネット１は、その上部は、照明カバー３を取り外してビス（図示せず）で壁面に固着することはできるが、その下部は、洗面台キャビネット５のバックガード６の上部壁面に固定金具を用いて固定しなければならず、このようなミラーキャビネット１の固定装置としては、従来、図４に示すようなものが用いられている。
【０００４】
この従来のミラーキャビネット１の固定装置は、壁面Ｗにビス７を介して止着される断面略凹状の壁固定金具８と、上記鏡２の裏板９にビス１０を介して止着される横倒略Ｌ字状の鏡押え体１１と、から構成され、上記鏡２の下端部は該鏡押え体１１に嵌合保持されるとともに、上記裏板９の下部には逆凸部１２を形成し、この逆凸部１２を上記壁固定金具８に落とし込み嵌合させることで、該ミラーキャビネット１の下部を壁面Ｗに固定するように構成されていた。尚、図中符号１３は、上記逆凸部１２を壁固定金具８に円滑に落とし込むことができるように壁固定金具８のビス７の頭部を避けるための切欠きである。
【０００５】
しかしながら、上記従来のミラーキャビネット１の固定装置にあっては、ミラーキャビネット１の下部を固定する部品として、壁固定金具８と鏡押え体１１とが必要であるため、この取付け固定作業が非常に煩雑であると共に、裏板９の裏面側下部に切欠き１３を形成しなければならないので、かかる作業も非常に煩雑である、という問題を有していた。
【０００６】
また、上記従来のミラーキャビネット１の固定装置にあっては、壁固定金具８と鏡押え体１１とで鏡２と裏板９とを保持し固定する構造であるため、どうしても鏡面が洗面台キャビネット５のバックガード６よりも前方に突出した状態で固定されるので、鏡２が見づらく、しかも、洗面台キャビネット５との一体感が損なわれ、見栄えが悪くなる、という問題を有していた。
【０００７】
加えて、上記従来のミラーキャビネット１の固定装置にあっては、裏板９の下部に形成された逆凸部１２を密に嵌合させるため、壁固定金具８の溝部の加工を高精度に保つ必要があるが、壁固定金具８をビス７で固定する関係から、このビス７の頭部を避けるため、どうしても裏板９の逆凸部１２の幅寸法よりも壁固定金具８の溝幅を大きく形成しなければならないため、固定後、前後方向にガタが発生する、という問題も有していた。
【０００８】
この発明は、かかる現状に鑑み創案されたものであって、その目的とするところは、簡単な構造でミラーキャビネットの下部を壁面に容易に固定することができると共に、洗面台キャビネットとの一体性を保持することができ、外観品質も良好で、しかも、固定後でもガタが発生する虞れがない取り扱いが至便なミラーキャビネットの固定装置を提供しようとするものである。
【０００９】
【課題を解決するための手段】
上記目的を達成するため、この発明にあっては、ミラーキャビネットの固定装置を、裏板の下面が載置される棚部と該棚部の前側に鏡の下部が嵌合保持される溝部とが形成されてなる鏡保持具と、壁面に止着具を介して固着される壁固定具と、から構成し、上記鏡保持具の下部に形成された嵌合突部と上記鏡保持具の嵌合突部が落とし込み保持される鏡固定具の相互に摺接する面部を傾斜させて形成したことを特徴とするものである。
【００１０】
【発明の実施の形態】
以下、添付図面に示す発明の実施の一形態例に基づき、この発明を詳細に説明する。
【００１１】
図１と図２は、この発明の実施の一形態例に係るミラーキャビネット１の固定装置２０を示しており、該固定装置２０は、前記鏡２と裏板９とを保持する押出樹脂成型された鏡保持具２１と、該鏡保持具２１が嵌合される壁固定具２２と、から構成されている。
【００１２】
鏡保持具２１は、その上部に、裏板９の下面が載置される棚部２３と、該棚部２３の前側に鏡２の下部が嵌合保持される断面形状が略凹状に形成された溝部２４と、から構成されている。
【００１３】
また、この鏡保持具２１の下部は、徐々に絞られて、その奥行き寸法が、上部の奥行き寸法よりも幅狭となるように断面略逆凹状に形成されており、その前側辺部２５の下端部は、嵌合突部２６の下端部よりも長く形成されて、壁固定具２２に嵌合されたときに、該壁固定具２２の前側辺部２７を隠して、洗面キャビネットのバックガードとの一体感が得られるように構成されている。
【００１４】
さらに、上記鏡保持具２１の嵌合突部２６の受面部２６ａは下方に向かって徐々に幅狭となるように傾斜して形成されている。
【００１５】
一方、上記壁固定具２２は、断面略凹状に形成されており、その奥行側辺部２８に挿通されたビス２９を介して壁面Ｗに固着される。
【００１６】
また、この壁固定具２２の前側辺部２７の受面部２７ａは、上方に向かって徐々に幅狭となるように傾斜して形成されている。
【００１７】
この形態例に係るミラーキャビネット１の固定装置２０は、以上説明したように、鏡保持具２１を押出樹脂成型することができるので、特に、鏡保持具２１の下部の精度出しが容易となり、また、その下部を徐々に絞ることができるので、下部奥行幅寸法を小さくして洗面キャビネットのバックガードとの一体感を容易に得ることができる。
【００１８】
さらに、この形態例に係るミラーキャビネット１の固定装置２０にあっては、鏡保持具２１の嵌合突部２６の受面部２６ａと壁固定具２２の前側辺部２７の受面部２７ａとの相互に接合する面部を傾斜させて形成したので、鏡２と裏板９とが取り付けられた鏡保持具２１を壁固定具２２へと落とし込むだけで、ミラーキャビネット１を壁面Ｗに容易に密着させることができる。
【００１９】
加えて、この形態例に係るミラーキャビネット１の固定装置２０にあっては、上記鏡保持具２１の嵌合突部２６を壁固定具２２へと嵌合し、ミラーキャビネット１の上部を固定したときに、該嵌合突部２６の下端部と壁固定具２２の溝内底面との隙間が０．５〜１ｍｍ程度形成されるように構成することで、固定後のミラーキャビネット１の上下前後方向のガタ付かず、安定した固定状態を容易に得ることができる。
【００２０】
【発明の効果】
この発明に係るミラーキャビネットの固定装置は、以上説明したように構成したので、簡単な構造でミラーキャビネットの下部を壁面に容易に固定することができると共に、洗面台キャビネットとの一体性を保持することができ、外観品質も良好で、しかも、固定後でもガタが発生する虞れがなく、取り扱いも至便である等、幾多の優れた効果を奏する。
【図面の簡単な説明】
【図１】この発明の実施の一形態例に係るミラーキャビネットの固定装置の構成を示す分解断面図である。
【図２】同固定装置の嵌合状態を示す断面図である。
【図３】鏡面が下端部まで形成されたミラーキャビネットが取り付けられてなる洗面化粧台の斜視図である。
【図４】従来のミラーキャビネットの固定装置の構成を示す分解断面図である。
【符号の説明】
１  ミラーキャビネット
２  鏡
９  裏板
２０  ミラーキャビネットの固定装置
２１  鏡保持具
２２  壁固定具
２３  棚部
２４  溝部
２６  嵌合突部
２６ａ，２７ａ  摺接面部
Ｗ  壁面
【図１】
0003562612.tif 000002
【図２】
0003562612.tif 000003
【図３】
0003562612.tif 000004
【図４】
0003562612.tif 000005